(57)【要約】  本発明は、独立した電源がない、すなわち装置の電源が一時的に動作しなくなるとき、または独立した電源がないときのＮＦＣシステムの装置のアプリケーションおよび／または構成の選択の問題を解決することに向けられる。その目的のために、本発明によるＮＦＣシステムのワイヤレス移動体通信装置が、前記装置が近接するカプラにより放出される場によりセンサが電力を供給されている間に、前記装置の動きを検出する信号を生成する加速度計（Ａｃｃ）タイプのセンサと、前記動き検出信号をアプリケーションおよび／または構成と一致する所定のシーケンスと比較し、比較が肯定的な場合、その信号に従って前記アプリケーションおよび／または構成を選択するためのプロセッサ（Ｐｒｏ）とを含む。
2011526011.tif 000002
【特許請求の範囲】
【請求項１】
ＮＦＣシステムのワイヤレス移動体通信装置のユーザによるアプリケーション（ＡＰＰＬＩＣＡＴＩＯＮ）および／または構成の選択のための方法にして、前記装置が独立した電源を有しない、または前記電源が一時的に動作しなくなる場合の方法であって、
前記装置の動きを検出する信号を、ワイヤレス移動体通信装置内の加速度計タイプのセンサにより生成するステップであって、前記センサが、前記装置が近接するカプラにより放出される場により電力を供給されるステップと、
前記動き検出信号をアプリケーションに対応する所定のシーケンスと比較するステップと、
比較が肯定的な場合、前記アプリケーションおよび／または構成を選択し、それによって、独立した電源が存在しない、または独立した電源が動作しなくなることによるユーザインタフェースの欠如を埋め合わせるステップとを含むことを特徴とする、方法。
【請求項２】
ＮＦＣシステムのワイヤレス移動体通信装置であって、
前記装置が近接するカプラにより放出される場を介して電力を供給される間に、前記装置の動きの検出信号を生成する加速度計タイプのセンサであって、前記装置が独立した電源を有しない、または前記電源が一時的に動作しなくなる状況にある該センサと、
前記動き検出信号をアプリケーションおよび／または構成に対応する所定のシーケンスと比較し、比較が肯定的な場合、それに従ってアプリケーションおよび／または構成を選択するプロセッサとを含むことを特徴とする、ＮＦＣシステムのワイヤレス移動体通信装置。
【請求項３】
集積回路およびアンテナを組み込むＩＳＯ７８１６形式のタイプの非接触カードを含み、加速度計タイプの前記センサがシリコンからなり、集積回路上に積み重ねられる、または集積回路に一体化されるシリコンひずみ計として動作することを特徴とする、請求項２に記載のＮＦＣシステムのワイヤレス移動体通信装置。
【請求項４】
ＮＦＣコントローラ、またはＳＩＭタイプのスマートカード、または安全な構成部品を含む携帯電話を含むことを特徴とする、請求項２に記載のＮＦＣシステムのワイヤレス移動体通信装置。
【請求項５】
加速度計タイプの前記センサがシリコンからなり、ＮＦＣコントローラを形成する集積回路上に積み上げられる、またはその集積回路に一体化されるシリコンひずみ計として動作することを特徴とする、請求項４に記載のＮＦＣシステムのワイヤレス移動体通信装置。
【請求項６】
加速度計タイプの前記センサがシリコンからなり、安全な構成部品のＳＩＭカードの集積回路上に積み重ねられる、またはその集積回路に一体化されるシリコンひずみ計として動作することを特徴とする、請求項４に記載のＮＦＣシステムのワイヤレス移動体通信装置。
【請求項７】
アプリケーションデータおよび／または構成が、ＮＦＣコントローラ、またはＳＩＭカード、または安全な構成部品のいずれかの中に記憶されることを特徴とする、請求項４から６のいずれか一項に記載のＮＦＣシステムのワイヤレス移動体通信装置。
【発明の詳細な説明】
【技術分野】
【０００１】
本発明は、ＮＦＣシステムでのワイヤレス移動体通信装置のアプリケーション、および／またはアプリケーションに関係する構成の選択方法、ならびに対応するワイヤレス移動体通信装置に関する。
【背景技術】
【０００２】
本発明によるワイヤレス移動体通信装置は：
集積回路およびアンテナを組み込むＩＳＯ７８１６形式のタイプの非接触カードでも、
ＮＦＣコントローラ、またはＳＩＭタイプのスマートカード、または安全な構成部品を含む携帯電話でもよい。
【０００３】
このアプリケーションでは、ＮＦＣ（Ｎｅａｒ  Ｆｉｅｌｄ  Ｃｏｍｍｕｎｉｃａｔｉｏｎ）は、（インフラストラクチャに属する）カプラとワイヤレス移動体通信装置の間、または少なくとも２つのワイヤレス移動体通信装置の間の通信を可能にする任意の解決策を意味する。
【０００４】
ワイヤレス移動体通信装置が携帯電話である場合、ＮＦＣはワイヤレス移動体通信装置をカードエミュレーションモードで動作させることができ、これは（スマートカードタイプの）セキュリティ構成部品に関連付けられるワイヤレス移動体通信装置が、非接触スマートカードの機能をエミュレートすることを意味する。ワイヤレス移動体通信装置が携帯電話（たとえば、ＧＳＭまたはＵＭＴＳと互換性がある携帯電話）である場合、ＳＩＭカードがセキュリティ構成部品として使用される。用途は多く、非接触カードタイプの用途のスーパーセットを形成する。すなわち、支払い、チケット発行（たとえばＮａｖｉｇｏ）、クーポン、またはアクセス管理である。ワイヤレス移動体通信装置の拡張機能（ＵＩ、ネットワーク接続、処理能力）のために、ワイヤレス移動体通信装置はカードベースのサービスをかなり拡大する。たとえば、移動体装置は、いつでも輸送機関のチケットを支払うおよびリロードするため、または人の移動体ですべてのロイヤルティポイントを受け取るために使用されることがある。「リーダ（ｒｅａｄｅｒ）」モードと呼ばれる代替モードでは、ワイヤレス移動体通信装置は、非接触カードリーダまたは受動タグ（電子ラベル）リーダとなる。そのモードは、ユーザが路上、ポスタ上、小包上、またはバス待合所の中、または名刺（ｖＣａｒｄ）上に配置される電子タグの前にユーザの移動体を保持することにより情報を読み出すことができるようにすることができる。
【０００５】
より具体的には、本発明は、ＮＦＣ（Ｎｅａｒ  Ｆｉｅｌｄ  Ｃｏｍｍｕｎｉｃａｔｉｏｎ）技術により通信する装置が、独立した電源（たとえば電池）を有しないときに、アプリケーション選択可能な方法および装置に関し、そのような事例として、たとえば非接触カードの場合、あるいは前記電源が、キーパッド、モニタ、またはスタイラスなどのユーザとのインタフェースの役割を果たす通常の装置に正しく電力を供給するのに一時的に不十分である、または自発的な行為のような行為を必要とする規制（たとえば、航空機内または病院内での移動体端末の不使用）により、ユーザによる自発的行為（電源スイッチをオフにする）により動作しなくなる場合である。
【０００６】
本発明は、携帯電話内、または非接触スマートカード内、または一方ではＳＩＭカード、および他方では携帯電話内に組み込まれたＮＦＣコントローラなどの組合せなどのＮＦＣワイヤレス移動体通信装置のすべての部分に実装されることがある。
【０００７】
最新技術
ワイヤレス移動体通信装置は、たとえばＩＳＯ１４４４３、ＩＳＯ１５６９３、ＩＳＯ１８０９２などのＮＦＣ標準に基づき、外部のインフラストラクチャ（カプラ）と通信することができ、２つの可能な方法で電力を供給されることがある。すなわち：
カプラにより放出される磁場から電力を抽出することによる、および／または
電池などの独立した電源のいずれかによる。
【０００８】
国際公開第２００６／０８５２４６号パンフレットが、以下を含むＮＦＣワイヤレス移動体通信装置の安全なＮＦＣ機能を保証する方法について説明している。すなわち：
電池の充電状態を測定し、
測定された充電状態が所定の限度を下まわるとすぐに、電力を電池からインフラストラクチャの遠隔カプラに切り換える（端末はカプラの放射の場内に配置される）。
【０００９】
ワイヤレス移動体通信装置は、衝突している可能性がある多数のアプリケーションを受け入れることがあり、これらのアプリケーションは互換性のない通信パラメータを有するので、これらのアプリケーションはインフラストラクチャのカプラとインタフェースされることができないことがあることを意味する。
【００１０】
このことは、例として上述された２つの動作モード（カードエミュレーションおよびリーダ）に加えて、ＮＦＣワイヤレス移動体通信装置が、いくつかの非接触通信プロトコルを使用することができ、たとえばプロトコルＩＳＯ１４４４３−ＡまたはプロトコルＩＳＯ１４４４３−Ｂ、あるいはＩＳＯ１５６９３などのいずれかに従ってデータを交換することができるためである。各プロトコルは、磁場放出周波数、能動モードでデータを放出するための磁場の振幅の変調方法、および受動モードでデータを放出するための、誘導結合を使用する電荷変調方法を規定する。したがって、ＮＦＣワイヤレス移動体通信装置が、マルチモード装置であり、かつマルチプロトコル装置である。プロトコルおよびモードの構成によりアプリケーションが規定される。一般に、ＮＦＣワイヤレス移動体通信装置は、たとえば以下のような異なるアプリケーションを含むことができる。
【００１１】
リーダアプリケーション：ワイヤレス移動体通信装置が、非接触集積回路に対し読出しおよび書込みをするためのリーダモードにある。ワイヤレス移動体通信装置はこの場合、ＲＦＩＤリーダのように使用される。このタイプのアプリケーションは無料のことがあり、たとえば広告表示に挿入される広告データを読み出すことにあることがある。アプリケーションはまた有料であり、たとえば加入者だけのための情報を読み出すことにあってもよい。対応するアプリケーションプログラムは、サービスが無料の場合、安全でないプロセッサにより保持され、実行されることが好ましく、あるいはサービスが有料の場合、アプリケーションプログラムが加入者を識別する、または送信されるデータ（たとえば署名）を認証する必要があるので、安全なプロセッサにより保持され実行されることが好ましい。
【００１２】
カードエミュレーション型のアプリケーション：ＮＦＣワイヤレス移動体通信装置はカードエミュレーションモードにあり、支払いまたは有料アクセス管理アプリケーションでの従来のＲＤカプラ（支払機、地下交通機関入口など）により読み出されることができる。この場合、ワイヤレス移動体通信装置（たとえば携帯電話）はスマートカードのように使用される。サービスへのアクセスが加入者識別を必要とするので、ＡＰ２アプリケーションプログラムが安全なプロセッサにより保持され、実行されることが好ましい。
【００１３】
デバイスタイプのアプリケーションも使用されることがある：この場合、ＮＦＣワイヤレス移動体通信装置はデバイスモードにあり、別の装置、たとえば別の携帯電話内に組み込まれたリーダ、またはコンピュータと対話する。そのようなアプリケーションは一般に無料であり、ある装置から別の装置にデータのパケットを送信（好ましくはポイントツーポイントファイル転送）するために使用される。アプリケーションプログラムは、このプロセッサがＳＩＭカードプロセッサである場合、安全なプロセッサよりも大きな計算能力を有する安全でないプロセッサにより保持され、実行されることが好ましい。
【００１４】
アプリケーションのインタフェースとなる多くのカプラは、カードにより基準が満たされるにもかかわらず、カプラの作動範囲内でただ１つのカードを受け入れるために、衝突解決アルゴリズムを実装する。米国特許出願公開第２００６／００２２０４２号明細書が、支払端末（Ｐａｙ−ｐａｓｓ）で一般に使用されるそのような１つのアルゴリズムについて記載している。カプラの作動範囲内で２つのカードが保持される場合、そのことがユーザにカードを取り除くように求める、ユーザへのメッセージ（「トランザクションが中断されました、カプラの作動範囲から外にカードを持って行ってください」）を即座に生成する。ここで、一部のアプリケーションは１種類の技術（たとえば標準ＩＳＯ１４４４３−ＡまたはＩＳＯ１４４４３−Ｂ）でしか動作せず、同じ移動体装置内部に一緒に実装することが困難である。いくつかのアプリケーションを収容するワイヤレス移動体通信装置が、アプリケーション選択問題を引き起こし得る。単一アプリケーション装置は、ユーザがいくつかの装置を所有し、カプラの前で適切な１つを保持しなければならないので、この問題にさらされることはない。たとえば、財布の中にいくつかの非接触カードを有するユーザが、必要とされるアプリケーションを有するカプラの前で正しいカードを保持する。非接触カードの本質によれば、非接触カード（単一アプリケーション）には独立した電源がなく、アプリケーションの選択用ユーザインタフェースに関係する問題が起きない。
【００１５】
いくつかのアプリケーションを収容するワイヤレス移動体通信装置については、ユーザは互換性のあるアプリケーションをあらかじめ選択するために調停しなければならない。
【００１６】
状況に応じて、ユーザは事前選択（たとえば輸送機関、支払い、読出しなど）を選び、取引を起動するためにカプラの前で前記ワイヤレス移動体通信装置を保持する。
【００１７】
たとえば、ユーザが銀行Ｘの銀行預金口座を使って支払いをする決心をする。ユーザは、銀行Ｘのアプリケーションを含む事前選択を選び、取引を開始する。事前選択は、取引の条件に関して不確かな状況（たとえば、同じ事前選択に２つの銀行）につながる可能性がある２つの銀行を含まないように、あいまいであってはならない。
【００１８】
事前選択のこの選択は、ワイヤレス移動体通信装置に関係するユーザインタフェースを介して行われる。たとえば、ワイヤレス移動体通信装置が携帯電話である場合、その用途のために設計された専用のアプリケーション（たとえばメニュー）とのインタラクションのためのスクリーンおよびキーパッドを有する。
【先行技術文献】
【特許文献】
【００１９】
【特許文献１】国際公開第２００６／０８５２４６号
【特許文献２】米国特許出願公開第２００６／００２２０４２号明細書
【発明の概要】
【発明が解決しようとする課題】
【００２０】
ワイヤレス移動体通信装置の前記ユーザインタフェース（スクリーン、キーパッドなど）は、（非接触カード）に、または電池が使い尽くされたワイヤレス移動体通信装置に利用できない独立した電源（たとえば電池）を必要とする。
【課題を解決するための手段】
【００２１】
本発明はその技術的問題を解決することに向けられる。その目的のために、ＮＦＣシステムのワイヤレス移動体通信装置のユーザによるアプリケーションの選択方法が提案され、前記装置は独立した電源を有しない、または前記電源は一時的に動作せず、方法は：
ワイヤレス移動体通信装置の加速度計タイプのセンサによる、前記装置の動きを検出する信号の生成の段階であり、前記センサが、装置が近接するカプラにより放出される場により電力を供給される段階と、
前記動き検出信号と、アプリケーション、またはアプリケーションに関係する構成に対応する所定のシーケンスとの比較の段階と、
比較が肯定的な場合、前記アプリケーション／構成の選択の段階とを含むことを特徴とし、
したがって、独立した電源がない、または電源が動作しなくなることによるユーザインタフェースの欠如を改善する。
【００２２】
ＮＦＣシステムのワイヤレス移動体通信装置は、本発明によれば以下を含む。すなわち：
センサが、前記装置が近接するカプラにより放出される場により電力を供給されている間に、前記装置の動きの検出信号を生成する加速度計タイプのセンサ、
前記動き検出信号を、アプリケーション、またはアプリケーションに関係する構成に対応する所定のシーケンスと比較し、それに従って比較が肯定的な場合、前記アプリケーション／構成を選択するためのプロセッサ。
【００２３】
本発明の別の特徴および有利な点が、添付の対応する図面を参照して以下の説明でより明らかになる。
【図面の簡単な説明】
【００２４】
【図１】以前の技法によるワイヤレス移動体通信装置のアーキテクチャの一例を示す図である。
【図２】本発明によるワイヤレス移動体通信装置の実施形態モードを実装するための回路のブロック図を示す。
【発明を実施するための形態】
【００２５】
図１に示されるように、ワイヤレス移動体通信装置は、携帯電話の形をとるとき、以前の技法に従って、ＮＦＣコントローラ１’を組み込む携帯電話本体１を含み、携帯電話はさらにＳＩＭカード３を有する。ＮＦＣコントローラ１’は、具体的には１つまたは複数の非接触通信プロトコル、たとえば携帯電話の形のワイヤレス移動体通信装置が通信する遠隔カプラ２との通信のためのプロトコルＩＳＯ１４４４３−Ａ、および／またはプロトコルＩＳＯ１４４４３−Ｂ、および／またはプロトコルＩＳＯ１５６９３を実装する知られている構成部品である。カプラ２は、たとえば支払端末、地下鉄または別の交通システムの改札口端末である。１つまたは複数の（支払い、輸送機関などのための）アプリケーションＡＰＰＬＩＣＡＴＩＯＮＳがカプラ２に関連付けられる。ＮＦＣコントローラ１’はまた、この参照によりこのアプリケーションに含まれる、勧告ＴＳ１０２．６１３およびＴＳ１０２．６２２でＥＴＳＩ（Ｅｕｒｏｐｅａｎ  Ｔｅｌｅｃｏｍｍｕｎｉｃａｔｉｏｎ  Ｓｔａｎｄａｒｄｉｚａｔｉｏｎ  Ｉｎｓｔｉｔｕｔｅ、欧州電気通信標準化機構）により規定される通信層ＳＷＰ、ＨＤＬＣ、およびＨＣＩを含む。これらの通信層は、対応する層ＳＷＰ、ＨＤＬＣ、およびＨＣＩを介して、ＳＩＭカード３とのデータの交換を可能にする。実施形態の例示されるモードでは、ＳＩＭカード２はまた、支払い、輸送機関、またはＩＳＯのＯＳＩモデルに従うアプリケーション層においてカプラ２でＡＰＰＬＩＣＡＴＩＯＮＳとデータを交換する別の目的のための１つまたは複数のアプリケーションＡＰＰＬＩＣＡＴＩＯＮＳ（ソフトウェア）を含む。
【００２６】
ここで説明される実施形態モードではワイヤレス移動体通信装置内のＡＰＰＬＩＣＡＴＩＯＮＳがＳＩＭカード内にあるとしても、代わりにＮＦＣコントローラ内、または特定の安全な構成部品内に含まれることがあることが留意されなければならない。別の代替形態では、ワイヤレス移動体通信装置自体が、一体化されたアンテナを有するＩＳＯ７８１６−１形式の非接触カードである場合があり、その場合、ＡＰＰＬＩＣＡＴＩＯＮＳは非接触カード自体の中にある。
【００２７】
本発明は非常に少ない電力しか必要としない、ユーザとの対話のための装置を使用し、したがって、この電力はワイヤレス移動体通信装置を取り囲む磁場から受け取られることができる。
【００２８】
本発明は、電子的加速度計タイプの動きセンサを使用することを提案する。そのようなシリコン加速度計が今では非常に普及し、非常に安価である。シリコンひずみ計（ｈｔｔｐ：／／ｅｎ．ｗｉｋｉｐｅｄｉａ．ｏｒｇ／ｗｉｋｉ／Ｓｔｒａｉｎ  ｇａｕｇｅ）（ｈｔｔｐ：／／ｆｒ．ｗｉｋｉｐｅｄｉａ．ｏｒｇ／ｗｉｋｉ／Ｊａｕｇｅ  ｄｅ  ｃｏｎｔｒａｉｎｔｅ）として動作し、そのような検出する電子的加速度計は：
ＳＩＭカードの安全なマイクロプロセッサ上に一体化される（スタッキングによる）、または
ＳＩＭカードの安全なマイクロプロセッサ内に一体化される（完全な一体化）、または
ＳＩＭカードの本体内に一体化される（安全性は必要ない）、または
携帯電話内のＮＦＣコントローラのチップ上に一体化される（スタッキング）、またはさらに、
ＮＦＣコントローラに接続され、同じプリント回路上に接続される、または最後には
ＮＦＣコントローラ内に一体化されることがある。
【００２９】
そのような方法で、カードがＮＦＣアプリケーションで使用される場合、加速度計がＮＦＣコントローラ内、またはＳＩＭカードなどの安全な構成部品内のいずれかでワイヤレス移動体通信装置内に組み込まれることがある。前記加速度計はＳＩＭカードの本体内、またはＳＩＭカードのマイクロプロセッサ内に組み込まれることがあることはいうまでもない。
【００３０】
このように、リーダの磁場から電力を抽出する装置を介して以下で説明されるように電力を供給される加速度計は、空間でのワイヤレス移動体通信装置の動きに関する情報を提供するように作られる。
【００３１】
リーダの作動範囲内の合意された手の動き、および暗黙のうちのワイヤレス移動体通信装置の合意された動きを用いて、事前選択の選択に関する基本的なコマンドが送信されることができる。
【００３２】
たとえば、２秒未満のうちに左から右、および逆に動く２回の回転が事前選択１を選択するために使用される。
【００３３】
２秒未満のうちに右から左、および逆に動く２回の回転が次の事前選択を選択するために使用される。
【００３４】
この装置は、現在の事前選択がリーダ、またはリーダのアプリケーションと互換性がないために取引が実行されることができない厄介な状況に対する満足な解決策を見いだすことができるようにする。
【００３５】
図２を参照すると、（非接触カードではない）携帯電話を使用する実施形態のモードの場合、ワイヤレス移動体通信装置が、電池によってではなく磁場により電力を供給されていることを知らされるとすぐに、選択を復号するために加速度計Ａｃｃにより送信される情報をリッスンし始めることが提案される。その目的のために、回路１３’が携帯電話内の電池１２の充電状態を測定する。電池の充電が所定の限度未満の場合、装置が前記カプラ２の近くに持って行かれたとき、ＮＦＣコントローラのアンテナ１１’の出力で結合される電圧整流器１２’の出力が、一方ではプロセッサＰｒｏおよび加速度計Ａｃｃに供給される電力が、カプラ２により生成される場により供給されるように、継電器（ＭＯＳＦＥＴトランジスタなどの電子的スイッチ）を介して選択される。
【００３６】
ワイヤレス移動体通信装置が取引を実行しようと試みるとすぐに、事前選択の順序はユーザの設定の順序に従わなければならない。
【００３７】
信号に従ってＡＰＰＬＩＣＡＴＩＯＮＳの１つを選択するプロセッサＰｒｏにより、加速度計Ａｃｃにより生成されるデジタル化された信号が処理される。その目的のために、プロセッサＰｒｏは、ユーザによる空間（または平面）でのワイヤレス移動体通信装置の所定の動きに対応する少なくとも１つの所定のデジタル化されたシーケンスを含む。加速度計Ａｃｃにより生成されるデジタル化された信号が、デジタル化された所定のシーケンスとある程度マッチするとき、プロセッサは、空間または平面でのその動きに対応するＡＰＰＬＩＣＡＴＩＯＮ（たとえば地下交通機関、少額決済など）のアプリケーション選択信号を生成する。この説明で具体的に述べられるように、そのプロセッサＰｒｏは、携帯電話内のＮＦＣコントローラ、またはＮＦＣコントローラに接続される携帯電話内のＳＩＭカードのマイクロプロセッサ、またはＮＦＣコントローラにも接続される安全な構成部品のプロセッサ、またはＩＳＯ７８１６形式の非接触スマートカードのマイクロプロセッサのいずれかのことがある。事前選択セレクタに簡単な順序を送信するために、プロセッサＰｒｏにより実行されるアルゴリズムが、動きを復号するために使用される。したがって、一般にプロセッサ内に組み込まれる事前選択セレクタは、（ａ）プログラムレジストリをロードすることによる、場合によりプロトコルパラメータなどを選択することによるアプリケーションの１つの選択、および／または（ｂ）ワイヤレス移動体通信装置により動作が実行されるのに必要とされるモード構成および／またはプロトコルの選択を行う。
【００３８】
非接触カードなどの完全に一体化されたシステムでは、すべての動作が、同じプロセッサＰｒｏにより実行される。
【００３９】
複合システム（たとえば電話機）については、加速度計が収容される場所（安全な構成部品またはＮＦＣコントローラに接続されるまたは一体化される）にかかわらず、たとえば以下の解決策が可能である。
【００４０】
カプラ２により供給される放射を介してＮＦＣコントローラにより電力を供給される加速度計Ａｃｃが、ＳＩＭカード内のプロセッサＰｒｏに情報を送信し、プロセッサＰｒｏがその情報を解釈し、ＡＰＰＬＩＣＡＴＩＯＮＳアプリケーション選択および／または構成のための基本的な順序をＮＦＣコントローラに送信する。したがって、このモードでは、加速度計Ａｃｃにより生成されるデータをＳＭカードが処理し、ＮＦＣコントローラはＡＰＰＬＩＣＡＴＩＯＮＳおよび／または構成データを含み、ＡＰＰＬＩＣＡＴＩＯＮＳおよび／または構成データは、ＳＩＭカードにより送信される情報またはコマンドの一部分により選択される。ＮＦＣコントローラは、アプリケーションＡＰＰＬＩＣＡＴＩＯＮを実行する責任がある。
【００４１】
ワイヤレス移動体通信装置が独立した電源を有するが、その電源が従来のユーザインタフェースおよび／または関連する電子回路に電力を供給するのに十分でないときに、本解決策は相変わらず有効である。
【図１】
2011526011.tif 000003
【図２】
2011526011.tif 000004
【国際調査報告】
2011526011.tif 000005
2011526011.tif 000006